(57)【要約】【課題】ＤＶＤのデータのストリームの流れを制御しながら、バックエンド回路の動作を評価することのできるバックエンド評価装置を提供する。【解決手段】バックエンド評価装置を、ストリームが蓄積されているメモリ１０１と、ストリームが必要な時に、ストリームを要求するリクエスト信号Ｓ１０４を出力するとともに、入力されるストリームを復号するバックエンド回路１０４と、メモリ１０１によるストリームの転送および転送の停止を制御するストリーム制御信号Ｓ１０６を発行する制御回路１０６と、リクエスト信号Ｓ１０４およびストリーム制御信号Ｓ１０６に基づいて、ストリーム要求信号Ｓ１０５を出力するリクエスト制御回路１０５と、ストリーム要求信号Ｓ１０５に応じて、メモリ１０１に対し、ストリームを出力するようにストリーム出力制御信号Ｓ１０２を出力するストリーム制御回路１０２と、を備えたものとした。【選択図】      図１
2004334948.tif 000002
【特許請求の範囲】
【請求項１】
符号化されたデータ列のストリームを復号し、画像、音声を出力するＤＶＤバックエンドを評価する装置において、
上記ストリームを蓄積するメモリと、
上記ストリームが必要なことを示すストリーム要求信号に基づき、上記メモリからのストリームの出力を制御するストリーム出力制御信号を出力するストリーム制御回路と、
上記ストリーム出力制御信号に応じて上記メモリより出力されるストリームを変換し、変換ストリームとして出力する解析変換回路と、
上記変換ストリームが必要な時にリクエスト信号を出力すると共に、上記解析変換回路からの上記変換ストリームを復号し、画像、音声を出力するバックエンド回路と、
上記メモリからの上記ストリームの転送、および転送の停止を制御するストリーム制御信号を、上記リクエスト制御回路に出力する制御回路と、
上記リクエスト信号、および上記ストリーム制御信号に基づき、上記ストリーム要求信号を出力するリクエスト制御回路と、
を備えたことを特徴とするＤＶＤバックエンド評価装置。
【請求項２】
請求項１に記載のＤＶＤバックエンド評価装置において、
上記ストリーム制御回路は、上記ストリーム要求信号が出力されると、上記メモリから出力するストリームの転送量を制御するストリーム出力制御信号を出力する、
ことを特徴とするＤＶＤバックエンド評価装置。
【請求項３】
請求項１に記載のＤＶＤバックエンド評価装置において、
上記ストリーム制御回路は、上記制御回路からの上記ストリーム制御信号に基づき、上記メモリからのストリームの出力開始位置、およびストリームの転送量を指定したストリーム出力制御信号を出力する、
ことを特徴とするＤＶＤバックエンド評価装置。
【請求項４】
請求項３に記載のＤＶＤバックエンド評価装置において、
上記ストリーム制御回路は、上記制御回路からの上記ストリーム制御信号に基づき、異なるストリームを出力するように制御する、
ことを特徴とするＤＶＤバックエンド評価装置。
【請求項５】
請求項１に記載のＤＶＤバックエンド評価装置において、
上記解析変換回路は、上記メモリが出力するストリームから所定の量を読み飛ばす、
ことを特徴とするＤＶＤバックエンド評価装置。
【請求項６】
請求項５に記載のＤＶＤバックエンド評価装置において、
上記解析変換回路は、上記制御回路が出力するストリーム制御信号により、上記所定の量を変更できる、
ことを特徴とするＤＶＤバックエンド評価装置。
【請求項７】
請求項５に記載のＤＶＤバックエンド評価装置において、
上記解析変換回路において変更できる上記所定の量は、上記メモリより出力するストリームの内容に基づいて決定されたものである、
ことを特徴とするＤＶＤバックエンド評価装置。
【請求項８】
請求項１に記載のＤＶＤバックエンド評価装置において、
上記解析変換回路は、上記メモリよりＤＶＤ−Ｖｉｄｅｏ規格のパケットであるストリームが出力された時、該出力されたストリームの、ＤＳＩ情報内のＶＯＢＵ＿１ＳＴＲＥＦ＿ＥＡフィールド情報から、ＶＯＢＵ単位でＶＯＢＵの先頭からＭＰＥＧ−Ｖｉｄｅｏ規格のＩピクチャが含まれるパックまでのデータを取り出し、該取り出したデータを変換ストリームとして出力する、
ことを特徴とするＤＶＤバックエンド評価装置。
【請求項９】
請求項８に記載のＤＶＤバックエンド評価装置において、
上記制御回路は、上記解析変換回路に対し、入力されたストリームより、ＶＯＢＵの先頭からＩピクチャが含まれるパックまでのデータを取り出すこと、あるいは入力されたストリームを変換ストリームとして出力すること、を指示する、
ことを特徴とするＤＶＤバックエンド評価装置。
【請求項１０】
請求項１に記載のＤＶＤバックエンド評価装置において、
上記解析変換回路は、上記制御回路の指示に基づき、上記メモリからのデータ、あるいは内部に備えたメモリに格納しているデータのいずれかを、変換ストリームとして出力する、
ことを特徴とするＤＶＤバックエンド評価装置。
【請求項１１】
請求項１に記載のＤＶＤバックエンド評価装置において、
上記解析変換回路は、入力されるストリームを変換ストリームとして上記バックエンド回路に出力するとともに、入力されるストリームの加算量を上記制御回路に出力する、
ことを特徴とするＤＶＤバックエンド評価装置。
【請求項１２】
請求項１１に記載のＤＶＤバックエンド評価装置において、
上記制御回路は、一定期間における上記加算量が所定の値を超えた時、上記リクエスト制御回路による上記ストリーム要求信号の出力を停止するよう上記ストリーム制御信号で制御する、
ことを特徴とするＤＶＤバックエンド評価装置。
【請求項１３】
請求項１に記載のＤＶＤバックエンド評価装置において、
上記解析変換回路は、ＤＶＤ−Ｖｉｄｅｏ規格のパケットであるストリームが入力されると、該入力位置に対するＤＶＤ−Ｖｉｄｅｏ規格のＶＯＢＵの先頭までの位置を、ストリーム転送量にて記憶するとともに、入力されるストリームを変換ストリームとして上記バックエンド回路に出力する、
ことを特徴とするＤＶＤバックエンド評価装置。
【請求項１４】
請求項１３に記載のＤＶＤバックエンド評価装置において、
上記制御回路は、上記解析変換回路が記憶するストリームの転送量に基づき、上記メモリからのストリームの出力開始位置を指定したストリーム制御信号を出力する、
ことを特徴とするＤＶＤバックエンド評価装置。
【発明の詳細な説明】
【０００１】
【発明の属する技術分野】
本発明は、ＤＶＤバックエンド評価装置に関し、特に、符号化されたデータ列のストリームの流れを制御しながら、データの復号、再生を行うバックエンドを評価するＤＶＤバックエンド評価装置に関するものである。
【０００２】
【従来の技術】
以下に従来のデジタルデータの流れを評価する評価装置について説明する。
図２は、従来の、デジタルデータの流れを評価する評価装置の構成を示すブロック図である。
図２において、２０１は比較値入力端子、２０２はデータ入力端子、２０３はシフトレジスタ、２０４は比較器、２０５は比較器結果蓄積器、２０６は出力端子である。
【０００３】
次に、上記デジタルデータの流れを評価する評価装置の動作について説明する。
上記デジタルデータの流れを評価する評価装置は、ＤＶＤのデータに一定のビット間隔で含まれる特定のパターンに基づき、バックエンド回路の評価を行うものであり、データ入力端子２０２より入力されるＤＶＤのデータは、シフトレジスタ２０３において順次１バイト単位でシフトされ、比較器２０４に入力される。またＤＶＤのデータに含まれているパケットヘッダは、比較値入力端子２０１を介して比較器２０４に入力される。これら、比較値入力端２０１からのＤＶＤのデータおよびデータ入力端子２０２からのパケットヘッダは、比較器２０４において順次比較される。すると、結果蓄積器２０５は、比較器２０４において同一値が検出された時、出力端子２０６に“１”を、同一値が検出されない時、出力端子２０６に“０”を、出力する。ここで、通常、パケットヘッダは、ＤＶＤのデータに一定ビット間隔で含まれているため、出力端子２０６から一定ビット間隔で“１”が出力されることで、入力されているＤＶＤのデータの同期がとれていることの確認が可能となる。
【０００４】
【特許文献１】
特表２００２−５２５９２２号公報（Ｐ２００２−５２５９２２Ａ）
【０００５】
【発明が解決しようとする課題】
しかしながら、上記のような従来のデジタルデータの流れを評価する評価装置は、一定のビット間隔で特定のパターンが含まれているデータを用いて、バックエンド回路の評価を行うものであり、入力されるパターンが、一定のビット間隔で特定のパターンを含むものではない場合、ＤＶＤのデータのストリームの流れを制御することができないため、バックエンド回路の動作を評価することができない。
【０００６】
本発明は、上記のような課題を解決するためになされたものであり、ＤＶＤのデータのストリームの流れを制御しながら、バックエンド回路の動作を評価することのできるバックエンド評価装置を提供することを目的とする。
【０００７】
【課題を解決するための手段】
上記の課題を解決するために、本発明の請求項１に係るＤＶＤバックエンド評価装置は、符号化されたデータ列のストリームを復号し、画像、音声を出力するＤＶＤバックエンドを評価する装置において、上記ストリームを蓄積するメモリと、上記ストリームが必要なことを示すストリーム要求信号に基づき、上記メモリからのストリームの出力を制御するストリーム出力制御信号を出力するストリーム制御回路と、上記ストリーム出力制御信号に応じて上記メモリより出力されるストリームを変換し、変換ストリームとして出力する解析変換回路と、上記変換ストリームが必要な時にリクエスト信号を出力すると共に、上記解析変換回路からの上記変換ストリームを復号し、画像、音声を出力するバックエンド回路と、上記メモリからの上記ストリームの転送、および転送の停止を制御するストリーム制御信号を、上記リクエスト制御回路に出力する制御回路と、上記リクエスト信号、および上記ストリーム制御信号に基づき、上記ストリーム要求信号を出力するリクエスト制御回路と、を備えたもの、としたものである。
【０００８】
本発明の請求項２に係るＤＶＤバックエンド評価装置は、請求項１に記載のＤＶＤバックエンド評価装置において、上記ストリーム制御回路は、上記ストリーム要求信号が出力されると、上記メモリから出力するストリームの転送量を制御するストリーム出力制御信号を出力するもの、としたものである。
【０００９】
本発明の請求項３に係るＤＶＤバックエンド評価装置は、請求項１に記載のＤＶＤバックエンド評価装置において、上記ストリーム制御回路は、上記制御回路からの上記ストリーム制御信号に基づき、上記メモリからのストリームの出力開始位置、およびストリームの転送量を指定したストリーム出力制御信号を出力するもの、としたものである。
【００１０】
本発明の請求項４に係るＤＶＤバックエンド評価装置は、上記ストリーム制御回路は、上記制御回路からの上記ストリーム制御信号に基づき、異なるストリームを出力するように制御するもの、としたものである。
【００１１】
本発明の請求項５に係るＤＶＤバックエンド評価装置は、請求項１に記載のＤＶＤバックエンド評価装置において、上記解析変換回路は、上記メモリが出力するストリームから所定の量を読み飛ばすもの、としたものである。
【００１２】
本発明の請求項６に係るＤＶＤバックエンド評価装置は、請求項５に記載のＤＶＤバックエンド評価装置において、上記解析変換回路は、上記制御回路が出力するストリーム制御信号により、上記所定の量を変更できるもの、としたものである。
【００１３】
本発明の請求項７に係るＤＶＤバックエンド評価装置は、請求項５に記載のＤＶＤバックエンド評価装置において、上記解析変換回路において変更できる上記所定の量は、上記メモリより出力するストリームの内容に基づいて決定されたもの、としたものである。
【００１４】
本発明の請求項８に係るＤＶＤバックエンド評価装置は、請求項１に記載のＤＶＤバックエンド評価装置において、上記解析変換回路は、上記メモリよりＤＶＤ−Ｖｉｄｅｏ規格のパケットであるストリームが出力された時、該出力されたストリームの、ＤＳＩ情報内のＶＯＢＵ＿１ＳＴＲＥＦ＿ＥＡフィールド情報から、ＶＯＢＵ単位でＶＯＢＵの先頭からＭＰＥＧ−Ｖｉｄｅｏ規格のＩピクチャが含まれるパックまでのデータを取り出し、該取り出したデータを変換ストリームとして出力するもの、としたものである。
【００１５】
本発明の請求項９に係るＤＶＤバックエンド評価装置は、請求項８に記載のＤＶＤバックエンド評価装置において、上記制御回路は、上記解析変換回路に対し、入力されたストリームより、ＶＯＢＵの先頭からＩピク
【００１６】
チャが含まれるパックまでのデータを取り出すこと、あるいは入力されたストリームを変換ストリームとして出力すること、を指示するもの、としたものである。
【００１７】
本発明の請求項１０に係るＤＶＤバックエンド評価装置は、請求項１に記載のＤＶＤバックエンド評価装置において、上記解析変換回路は、上記制御回路の指示に基づき、上記メモリからのデータ、あるいは内部に備えたメモリに格納しているデータのいずれかを、変換ストリームとして出力するもの、としたものである。
【００１８】
本発明の請求項１１に係るＤＶＤバックエンド評価装置は、請求項１に記載のＤＶＤバックエンド評価装置において、上記解析変換回路は、入力されるストリームを変換ストリームとして上記バックエンド回路に出力するとともに、入力されるストリームの加算量を上記制御回路に出力するもの、としたものである。
【００１９】
本発明の請求項１２に係るＤＶＤバックエンド評価装置は、請求項１１に記載のＤＶＤバックエンド評価装置において、上記制御回路は、一定期間における上記加算量が所定の値を超えた時、上記リクエスト制御回路による上記ストリーム要求信号の出力を停止するよう上記ストリーム制御信号で制御するもの、としたものである。
【００２０】
本発明の請求項１３に係るＤＶＤバックエンド評価装置は、請求項１に記載のＤＶＤバックエンド評価装置において、上記解析変換回路は、ＤＶＤ−Ｖｉｄｅｏ規格のパケットであるストリームが入力されると、該入力位置に対するＤＶＤ−Ｖｉｄｅｏ規格のＶＯＢＵの先頭までの位置を、ストリーム転送量にて記憶するとともに、入力されるストリームを変換ストリームとして上記バックエンド回路に出力するもの、としたものである。
【００２１】
本発明の請求項１４に係るＤＶＤバックエンド評価装置は、請求項１３に記載のＤＶＤバックエンド評価装置において、上記制御回路は、上記解析変換回路が記憶するストリームの転送量に基づき、上記メモリからのストリームの出力開始位置を指定したストリーム制御信号を出力するもの、としたものである。
【００２２】
【発明の実施の形態】
（実施の形態１）
まず、本発明の実施の形態１に係るＤＶＤバックエンド評価装置について、図面を参照しながら説明する。
図１は、本実施の形態１に係るＤＶＤバックエンド評価装置の構成を示すブロック図である。
【００２３】
本実施の形態１によるＤＶＤバックエンド評価装置は、符号化されたデータ列のストリームを復号し、画像、音声を出力するＤＶＤのバックエンドを評価する装置であって、図１に示したように、符号化されたＤＶＤのデータ列のストリームが蓄積されているメモリ１０１と、ストリームが必要な時に、ストリームを要求するリクエスト信号Ｓ１０４を出力するとともに、入力されるストリームを復号し、画像出力端子１０７より画像データを、音声出力端子１０８より音声データを、出力するバックエンド回路１０４と、メモリ１０１に蓄積されているストリームの転送および転送の停止を制御するストリーム制御信号Ｓ１０６を発行する制御回路１０６と、リクエスト信号Ｓ１０４およびストリーム制御信号Ｓ１０６に基づいて、ストリーム要求信号Ｓ１０５を出力するリクエスト制御回路１０５と、リクエスト制御回路１０５からのストリーム要求信号Ｓ１０５に応じて、メモリ１０１に対し、ストリームを出力するようにストリーム出力制御信号Ｓ１０２を出力するストリーム制御回路１０２と、メモリ１０１が出力するストリームを変換し、変換ストリームとしてバックエンド回路１０４に出力する解析変換回路１０３と、を備えている。これら、リクエスト制御回路１０５、制御回路１０６、ストリーム制御回路１０２、メモリ１０１、および解析変換回路１０３は、バックエンド回路１０４に入力されるストリームの制御の機能に特化したフロントエンド機能を有するものである。
【００２４】
ここで、制御回路１０６は、ホストバスＨＢ経由でストリーム制御回路１０２、解析変換回路１０３、バックエンド回路１０４およびリクエスト制御回路１０５を制御可能に接続されている。なお、制御回路１０６と、ストリーム制御回路１０２、解析変換回路１０３、バックエンド回路１０４およびリクエスト制御回路１０５との接続方法は、これに限定するものではなく、例えば、各々と制御回路１０６とを直接接続することにより、制御回路１０６より直接制御するようにしても良い。
【００２５】
次に、このように構成されるＤＶＤバックエンド評価装置の動作を、トラックバッファ機能を評価する場合を例にとって説明する。
変換ストリームが必要な時に、バックエンド回路１０４は、リクエスト信号Ｓ１０４を出力し、制御回路１０６は、メモリ１０１に蓄積されているストリームより、所望の転送量のストリームをバックエンド回路１０４に転送するためのストリーム制御信号Ｓ１０６を発行する。これらリクエスト信号Ｓ１０４およびストリーム制御信号Ｓ１０６は、リクエスト制御回路１０５において、ストリームが必要なことを示すストリーム要求信号Ｓ１０５とされ、ストリーム制御回路１０２に出力される。ストリーム制御回路１０２は、ストリーム要求信号Ｓ１０５が入力されると、制御回路１０６より指定された転送量のストリームの出力を指示するストリーム出力制御信号Ｓ１０２をメモリ１０１に出力し、メモリ１０１は、蓄積しているストリームより、ストリーム出力制御信号Ｓ１０２に指定された転送量のストリームを、指定されたタイミングで出力する。解析変換回路１０３は入力されるストリームをそのまま変換ストリームとして出力する。バックエンド回路１０４は、変換ストリームを復号し、画像出力端子１０７より画像を、音声出力端子１０８より音声を、出力する。出力された画像および音声は、決められた基準で、問題ないか否かを評価される。ストリームの転送を停止する時は、制御回路１０６において、ストリームの転送の停止を要求するストリーム制御信号Ｓ１０６を発行し、リクエスト制御回路１０５よりストリーム要求信号Ｓ１０５を出力しないようにする。
【００２６】
以上のように、本実施の形態１によるＤＶＤバックエンド評価装置によれば、ストリームが蓄積されているメモリ１０１と、ストリームが必要な時に、ストリームを要求するリクエスト信号Ｓ１０４を出力するとともに、入力されるストリームを復号し、画像出力端子１０７より画像データを、音声出力端子１０８より音声データを、出力するバックエンド回路１０４と、メモリ１０１に蓄積されているストリームの転送および転送の停止を制御するストリーム制御信号Ｓ１０６を発行する制御回路１０６と、リクエスト信号Ｓ１０４およびストリーム制御信号Ｓ１０６に基づいて、ストリーム要求信号Ｓ１０５を出力するリクエスト制御回路１０５と、リクエスト制御回路１０５からのストリーム要求信号Ｓ１０５に応じて、ストリームを出力するように、メモリ１０１に対しストリーム出力制御信号Ｓ１０２を出力するストリーム制御回路１０２と、メモリ１０１が出力するストリームを変換し、変換ストリームとしてバックエンド回路１０４に出力する解析変換回路１０３と、を備えたので、ストリームの転送量を確定すること、およびストリームの転送を停止することが可能となる。これにより、ＤＶＤディスクを用いて、トラックバッファ機能の評価を行うことができる。
【００２７】
（実施の形態２）
次に、本発明の実施の形態２に係るＤＶＤバックエンド評価装置について、図１を参照しながら説明する。
本実施の形態２によるＤＶＤバックエンド評価装置は、制御回路１０６を、ストリームを出力する転送量およびストリームの出力開始位置を指定したストリーム制御信号Ｓ１０６を生成するようにしたものである。
【００２８】
次に、このように構成されるＤＶＤバックエンド評価装置の動作を、間欠再生機能を評価する場合を例にとって説明する。
変換ストリームが必要な時に、バックエンド回路１０４は、リクエスト信号Ｓ１０４を出力し、制御回路１０６は、ストリームを出力する転送量およびストリームの出力開始位置を指定したストリーム制御信号Ｓ１０６を発行する。これらリクエスト信号Ｓ１０４およびストリーム制御信号Ｓ１０６は、リクエスト制御回路１０５において、ストリームが必要なことを示すストリーム要求信号Ｓ１０５とされ、ストリーム制御回路１０２に出力される。ストリーム制御回路１０２は、ストリーム要求信号Ｓ１０５に基づいて、ストリームを出力する転送量およびストリームの出力開始位置を指定したストリーム出力制御信号Ｓ１０２をメモリ１０１に出力し、メモリ１０１は、蓄積しているストリームより、ストリーム出力制御信号Ｓ１０２に指定された転送量のストリームを、指定された転送位置より出力する。ここで、ストリームの転送開始位置は、必ず前回のストリームの転送開始位置に前回の転送量を加算した値より大きな値をとるようにされているため、メモリ１０１に蓄積されているストリームは、連続的でなく、間欠的に出力される。解析変換回路１０３は、入力されるストリームをそのまま変換ストリームとして出力する。バックエンド回路１０４は、変換ストリームを復号し、画像出力端子１０７より画像を、音声出力端子１０８より音声を、出力する。出力された画像および音声は決められた基準で、問題ないか否かを評価される。
【００２９】
このように、本実施の形態２によるＤＶＤバックエンド評価装置においては、制御回路１０６を、ストリームを出力する転送量およびストリームの出力開始位置を指定したストリーム制御信号Ｓ１０６を生成するようにし、ストリームの出力開始位置を、必ず、前回のストリームの転送開始位置に前回の転送量を加算した値より大きな値とするようにしたので、メモリ１０１からのストリームを、間欠的に出力することが可能となる。これにより、間欠再生に関する評価を行うことができる。
【００３０】
（実施の形態３）
次に、本発明の実施の形態３に係るＤＶＤバックエンド評価装置について、図１を参照しながら説明する。
本実施の形態３によるＤＶＤバックエンド評価装置は、制御回路１０６を、メモリ１０１に蓄積されているストリームをバックエンド回路１０４に転送するためのストリーム制御信号Ｓ１０６を発行するとともに、解析変換回路１０３に対して、入力されるストリームが所定の転送量になった場合に、一定量のストリームの出力の停止を指示するようにしたものである。
【００３１】
解析変換回路１０３は、制御回路１０６の指示に基づき、入力されるストリームが所定の転送量になるまで、入力されるストリームをそのまま出力し、入力されるストリームが、所定の転送量を超えると、一定量のストリームの出力を停止する。
【００３２】
次に、このように構成されるＤＶＤバックエンド評価装置の動作を、間欠再生機能を評価する場合を例にとって説明する。
バックエンド回路１０４は、リクエスト信号Ｓ１０４を出力し、制御回路１０６は、メモリ１０１に蓄積されているストリームを転送するためのストリーム制御信号Ｓ１０６を、ホストバスＨＢ経由で発行する。これらリクエスト信号Ｓ１０４およびストリーム制御信号Ｓ１０６は、リクエスト制御回路１０５において、ストリームが必要なことを示すストリーム要求信号Ｓ１０５とされ、ストリーム制御回路１０２に出力される。ストリーム制御回路１０２は、ストリーム出力制御信号Ｓ１０２をメモリ１０１に出力し、メモリ１０１は、ストリーム出力制御信号Ｓ１０２に基づき、蓄積しているストリームを解析変換回路１０３に出力する。ここで、解析変換回路１０３には、入力されるストリームが所定の転送量になると、一定量のストリームを出力しないようにすることが、制御回路１０６より指示されており、解析変換回路１０３は、入力されるストリームが所定の転送量になるまで、入力されるストリームをそのまま出力する。そして、入力されるストリームが所定の転送量になると、制御回路１０６から指定された量だけ、入力されるストリームの出力を停止する。解析変換回路１０３においてストリームの出力を停止する量は、メモリ１０１より出力するストリームの内容に基づいて決定されたものであってもよい。制御回路１０６から指定された量が過ぎたところから、解析変換回路１０３は、再度、入力されたストリームをそのまま出力する。以下これを繰り返す。バックエンド回路１０４は解析変換回路１０３より出力された変換ストリームを復号し、画像出力端子１０７より画像を、音声出力端子１０８より音声を、出力する。出力された画像および音声は、決められた基準で、問題ないか否かを評価される。
【００３３】
以上のように、本実施の形態３によるＤＶＤバックエンド評価装置によれば、制御回路１０６を、メモリ１０１に蓄積されているストリームをバックエンド回路１０４に転送するためのストリーム要求を発行するとともに、解析変換回路１０３に対して、入力されるストリームが所定の転送量になった場合に、一定量のストリームの出力の停止を指示するようにしたので、メモリ１０１からのストリームを、間欠的にバックエンド回路１０４に供給することができる。また、ストリームが一定の周期を持って出力されるため、制御回路１０６において指示するストリームの転送量と、転送しない量とを順次変更することで、ランダム的に欠けているストリーム再生に関する評価を行うことができる。
【００３４】
（実施の形態４）
次に、本発明の実施の形態４に係るＤＶＤバックエンド評価装置について、図１を参照しながら説明する。
本実施の形態４によるＤＶＤバックエンド評価装置は、メモリ１０１に、ＤＶＤ−Ｖｉｄｅｏ規格で符号化されたデータ列のストリームを蓄積させ、制御回路１０６を、解析変換回路１０３に対して、ＭＰＥＧ−Ｖｉｄｅｏ規格のＩピクチャを抜き出し、入力ストリームを変換することを要求するようにし、解析変換回路１０３を、制御回路１０６の要求に基づき、ＤＶＤ−Ｖｉｄｅｏ規格のＤＳＩ情報内のＶＯＢＵ＿１ＳＴＲＥＦ＿ＥＡフィールド情報から、ＶＯＢＵ単位でＶＯＢＵの先頭からＭＰＥＧ−Ｖｉｄｅｏ規格のＩピクチャが含まれるパックまでのデータを取り出すようにしたものである。
【００３５】
次に、このように構成されるＤＶＤバックエンド評価装置の動作を、Ｉ再生機能を評価する場合を例にとって説明する。
ストリーム出力制御信号Ｓ１０２が入力されると、メモリ１０１は、該ストリーム出力制御信号Ｓ１０２に基づき、蓄積しているＤＶＤ−Ｖｉｄｅｏ規格のストリームを解析変換回路１０３に出力する。制御回路１０６は、メモリ１０１が蓄積しているストリームがＤＶＤ−Ｖｉｄｅｏ規格のものであることを認知しており、ＭＰＥＧ−Ｖｉｄｅｏ規格のＩピクチャを抜き出し、入力ストリームを変換する指示を、ホストバスＨＢ経由で解析変換回路１０３に対し発行する。Ｉピクチャを抜き出すことが指示されている解析変換回路１０３は、ＤＶＤ−Ｖｉｄｅｏ規格のＤＳＩ情報内のＶＯＢＵ＿１ＳＴＲＥＦ＿ＥＡフィールド情報から、ＶＯＢＵ単位で、ＶＯＢＵの先頭からＭＰＥＧ−Ｖｉｄｅｏ規格のＩピクチャが含まれるパックまでデータを取り出し、変換ストリームとして出力する。バックエンド回路１０４は、解析変換回路１０３より出力された変換ストリームを復号し、画像出力端子１０７より画像を、音声出力端子１０８より音声を、出力する。出力された画像および音声は、決められた基準で、問題ないか否かを評価される。
【００３６】
以上のように、本実施の形態４によるＤＶＤバックエンド評価装置によれば、メモリ１０１に、ＤＶＤ−Ｖｉｄｅｏ規格で符号化されたデータ列のストリームを蓄積させ、制御回路１０６を、解析変換回路１０３に対して、ＭＰＥＧ−Ｖｉｄｅｏ規格のＩピクチャを抜き出し、入力ストリームを変換することを要求するようにし、解析変換回路１０３を、制御回路１０６の要求に基づき、ＤＶＤ−Ｖｉｄｅｏ規格のＤＳＩ情報内のＶＯＢＵ＿１ＳＴＲＥＦ＿ＥＡフィールド情報から、ＶＯＢＵ単位でＶＯＢＵの先頭からＩピクチャが含まれるパックまでのデータを取り出すようにしたようにしたので、バックエンド回路１０４に変換ストリームを入力することができ、ＤＶＤ製品で必要とされるＩ再生に関する評価を行うことができる。
【００３７】
なお、制御回路１０６を、Ｉピクチャを抜き出し、入力ストリームを変換することに加えて、変換しないことをも指示するようにしてもよい。この場合、Ｉ再生から通常の再生への、あるいは通常の再生からＩ再生への遷移に関する評価を行うことができる。
【００３８】
（実施の形態５）
次に、本発明の実施の形態５に係るＤＶＤバックエンド評価装置について、図１を参照しながら説明する。
【００３９】
本実施の形態５によるＤＶＤバックエンド評価装置は、制御回路１０６を、ストリームをバックエンド回路１０４に転送するためのストリーム要求を発行するとともに、解析変換回路１０３に対して、スクリーンセーバのデータの出力の要求を発行するようにし、解析変換回路１０３を、スクリーンセーバのデータの出力が要求されていないときは、メモリ１０１より出力されるストリームをそのまま、スクリーンセーバのデータの出力が要求されている場合は、スクリーンセーバのデータを、バックエンド回路１０４に出力するようにしたものである。
【００４０】
ここで、スクリーンセーバのデータは、解析変換回路１０３の内部メモリに格納されている画像のデータである。本実施の形態は、解析変換回路１０３の内部メモリに格納されているデータについて限定するものではなく、これは、ＭＰＥＧ−Ｖｉｄｅｏ規格で符号化されている画像１フレーム分のビデオデータや、複数画像フレームで構成され、音声が含まれているデータ等、画像を含んだ種々のデータとすることができる。
【００４１】
また、制御回路１０６が、スクリーンセーバのデータの出力の要求を発行するタイミングは、どのタイミングもよく、メモリ１０１内部のストリームを出力する前、あるいはストリームを出力する途中であってもよく、ストリームを全て出力し終わった後であってもよい。
【００４２】
次に、このように構成されるＤＶＤバックエンド評価装置の動作を、スクリーンセーバ機能を評価する場合を例にとって説明する。
ストリーム出力制御信号Ｓ１０２が入力されると、メモリ１０１は、該ストリーム出力制御信号Ｓ１０２に基づき、蓄積しているストリームを解析変換回路１０３に出力する。解析変換回路１０３は、制御回路１０６から指示がない場合は、入力されるストリームをそのまま出力する。ここで、制御回路１０６より、スクリーンセーバのデータの出力の要求が、ホストバスＨＢ経由で発行され、解析変換回路１０３は、スクリーンセーバのデータを変換ストリームとして出力する。バックエンド回路１０４は、変換ストリームを復号し、画像出力端子１０７より画像を、音声出力端子１０８より音声を、出力する。
【００４３】
以上のように、本実施の形態５によるＤＶＤバックエンド評価装置によれば、制御回路１０６を、ストリームをバックエンド回路１０４に転送するためのストリーム要求を発行するとともに、解析変換回路１０３に対して、スクリーンセーバのデータの出力の要求を発行するようにし、解析変換回路１０３を、スクリーンセーバのデータの出力が要求されていないときは、メモリ１０１より出力されるストリームをそのまま、スクリーンセーバのデータの出力が要求されている場合は、スクリーンセーバのデータを、バックエンド回路１０４に出力するようにしたので、制御回路１０６にて、ストリームをバックエンド回路１０４に転送するためのストリーム要求、またはスクリーンセーバのデータの出力の要求を、切り替えて発行することにより、バックエンド回路１０４に対するストリーム入力を中断し、スクリーンセーバに切り替える遷移、もしくは再度ストリームを入力する遷移を生じさせながら、スクリーンセーバ機能の評価を行うことができる。
【００４４】
（実施の形態６）
次に、本発明の実施の形態６に係るＤＶＤバックエンド評価装置について、図１を参照しながら説明する。
本実施の形態６によるＤＶＤバックエンド評価装置は、解析変換回路１０３を、入力されるストリームをそのまま出力するとともに、該入力されるストリーム量を加算し、加算量をホストバスＨＢ経由で制御回路１０６に出力するようにし、制御回路１０６を、一定期間に解析変換回路１０３より入力されるストリーム量が所定の値を超えた場合、ストリームの転送の停止を要求するストリーム制御信号Ｓ１０６を発行し、その後所定の期間が経過すると、再度ストリームの転送を要求するストリーム制御信号Ｓ１０６を発行するようにしたものである。
【００４５】
ここで制御回路１０６は、一定期間における加算量が所定の値を超えた場合、ストリーム要求の発行を停止し、その後、所定の期間が経過すると、再びストリーム要求を発行するものである。
【００４６】
次に、このように構成されるＤＶＤバックエンド評価装置の動作を、バックエンド回路１０４に入力されるストリームをアンダーフローぎみに推移させる機能を評価する場合を例にとって説明する。
【００４７】
バックエンド回路１０４は、リクエスト信号Ｓ１０４を出力し、制御回路１０６は、メモリ１０１に蓄積されているストリームを転送するためのストリーム制御信号Ｓ１０６を発行する。これらリクエスト信号Ｓ１０４およびストリーム制御信号Ｓ１０６は、リクエスト制御回路１０５において、ストリームが必要なことを示すストリーム要求信号Ｓ１０５とされ、ストリーム制御回路１０２に出力される。ストリーム制御回路１０２は、ストリーム出力制御信号Ｓ１０２をメモリ１０１に出力し、メモリ１０１は、ストリーム出力制御信号Ｓ１０２に基づき、蓄積しているストリームを解析変換回路１０３に出力する。解析変換回路１０３は、入力されたストリームを、そのままバックエンド回路１０４に出力すると共に、入力されるストリーム量を加算し、加算量をホストバスＨＢ経由で制御回路１０６に出力する。ここで、制御回路１０６は、一定期間における加算量が、所定の値を超えた場合、ストリームの転送の停止を要求するストリーム制御信号Ｓ１０６を発行し、リクエスト制御回路１０５からのストリーム要求信号Ｓ１０５の出力を停止させる。その後、所定の期間が経過すると、再度、ストリームの転送を要求するストリーム制御信号Ｓ１０６を発行し、リクエスト制御回路１０５からのストリーム要求信号Ｓ１０５の出力を再開させる。バックエンド回路１０４は解析変換回路１０３より出力された変換ストリームを復号し、画像出力端子１０７より画像を、音声出力端子１０８より音声を、出力する。出力された画像および音声は、決められた基準で、問題ないか否かを評価される。
【００４８】
以上のように、本実施の形態６によるＤＶＤバックエンド評価装置によれば、解析変換回路１０３を、入力されるストリームをそのまま出力するとともに、該入力されるストリーム量を加算し、加算量をホストバスＨＢ経由で制御回路１０６に出力するようにし、制御回路１０６を、一定期間に解析変換回路１０３より入力されるストリーム量が所定の値を超えた場合、ストリームの転送の停止を要求するストリーム制御信号Ｓ１０６を発行し、その後所定の期間が経過すると、再度ストリームの転送を要求するストリーム制御信号Ｓ１０６を発行するようにしたので、メモリ１０１からのストリームの転送量を制御することができる。
【００４９】
また、制御回路１０６が、加算量を判定する期間を変更するようにすることにより、転送されるストリーム量を動的に変更することができる。このように転送されるストリーム量を制御することにより、バックエンド回路１０４に入力されるストリームをアンダーフローぎみに推移させる機能を評価することができる。
【００５０】
なお、本実施の形態においては、制御回路１０６は、解析変換回路１０３からの加算量に基づきストリームの転送量を制御するようにしたが、解析変換回路１０３を、ストリームの出力のみを行うものとし、制御回路１０６において、転送しているストリーム量を加算して加算量を求めるようにしてもよい。
【００５１】
（実施の形態７）
次に、本発明の実施の形態７に係るＤＶＤバックエンド評価装置について、図１を参照しながら説明する。
本実施の形態７によるＤＶＤバックエンド評価装置は、解析変換回路１０３を、入力されるストリームを変換ストリームとして出力するとともに、ＤＶＤ−Ｖｉｄｅｏ規格で符号化されたデータ列のストリームが入力されている時に、該入力位置からＤＶＤ−Ｖｉｄｅｏ規格のＶＯＢＵの先頭までの位置を、該先頭位置に対するストリーム転送量にて記憶し、該記憶したストリーム転送量をホストバスＨＢ経由で制御回路１０６に出力するようにし、制御回路１０６を、解析変換回路１０３からの、ＶＯＢＵの先頭を示すストリーム転送量を、ストリームの出力を開始する位置として指定したうえで、ストリームをバックエンド回路１０４に転送するためのストリーム制御信号Ｓ１０６を発行するようにし、ストリーム制御回路１０２を、メモリ１０１に対して、ＶＯＢＵの先頭よりストリームを出力するように、ストリーム出力制御信号Ｓ１０２を出力するようにしたものである。
【００５２】
次に、このように構成されるＤＶＤバックエンド評価装置の動作を、逆再生機能を評価する場合を例にとって説明する。
メモリ１０１には符号化されたデータ列のストリームとしてＤＶＤ−Ｖｉｄｅｏ規格のパックヘッダが蓄積されており、ストリーム出力制御信号Ｓ１０２に従ってストリームを解析変換回路１０３に出力する。解析変換回路１０３は、入力されたストリームを変換ストリームとして、そのままバックエンド回路１０４に出力するとともに、ＶＯＢＵの先頭の位置を、該位置に対するストリーム転送量で記憶し、該ストリーム転送量をホストバスＨＢ経由で制御回路１０６に出力する。制御回路１０６は、ＶＯＢＵの先頭を示すストリーム転送量が入力されると、これをストリームの出力開始位置として、ストリーム制御回路１０２に出力する。ストリーム制御回路１０２はメモリ１０１に対して、ストリームの出力を開始する先頭の位置がＶＯＢＵの先頭になるようにストリーム出力制御信号Ｓ１０２を出力し、メモリ１０１は、ＶＯＢＵの先頭よりストリームを出力する。バックエンド回路１０４は解析変換回路１０３より出力された変換ストリームを復号し、画像出力端子１０７より画像を、音声出力端子１０８より音声を、出力する。出力された画像および音声は、決められた基準で、問題ないか否かを評価される。
【００５３】
以上のように、本実施の形態７によるＤＶＤバックエンド評価装置によれば、解析変換回路１０３を、入力されるストリームを変換ストリームとして出力するとともに、ＤＶＤ−Ｖｉｄｅｏ規格で符号化されたデータ列のストリームが入力されている時に、該入力位置からＤＶＤ−Ｖｉｄｅｏ規格のＶＯＢＵの先頭までの位置を、該先頭位置に対するストリーム転送量にて記憶し、該ストリーム転送量をホストバスＨＢ経由で制御回路１０６に出力するようにし、制御回路１０６を、解析変換回路１０３からの、ＶＯＢＵの先頭を示すストリーム転送量を、ストリームの出力を開始する位置として指定したうえで、ストリームをバックエンド回路１０４に転送するためのストリーム制御信号Ｓ１０６を発行するようにし、ストリーム制御回路１０２を、メモリ１０１に対して、ＶＯＢＵの先頭よりストリームを出力するように、ストリーム出力制御信号Ｓ１０２を出力するようにしたので、バックエンド回路１０４に入力される変換されたストリームは、既に入力されたストリームより前のストリームであっても、ＶＯＢＵの先頭から入力することができ、逆再生の機能を評価することができる。
【００５４】
なお、実施の形態１〜７によるＤＶＤバックエンド評価装置においては、それぞれ異なる機能を評価するようにしたが、１つのＤＶＤバックエンド評価装置において２つ以上の機能を同時に評価するようにしてもよい。
【００５５】
また、実施の形態１〜７によるＤＶＤバックエンド評価装置においては、ＤＶＤディスク系で説明したが、本発明は、評価可能なディスクの種類を限定するものではなく、ＤＶＤ、ＳＶＣＤ、ＤＴＳ−ＣＤ、ＶＣＤ、ＣＤ等、種々のディスクを用いて評価を行ようにしてもよい。さらに、本発明は、評価可能な符号化データの種類を限定するものではなく、デジタルテレビの符号化されたデータを用いて評価を行うようにしてもよい。これにより、種々のディスクやデジタルテレビの符号化されたデータを用いて評価を行うことができる。
【００５６】
【発明の効果】
以上のように、本発明の請求項１に係るＤＶＤバックエンド評価装置によれば、符号化されたデータ列のストリームを復号し、画像、音声を出力するＤＶＤバックエンドを評価する装置において、上記ストリームを蓄積するメモリと、上記ストリームが必要なことを示すストリーム要求信号に基づき、上記メモリからのストリームの出力を制御するストリーム出力制御信号を出力するストリーム制御回路と、上記ストリーム出力制御信号に応じて上記メモリより出力されるストリームを変換し、変換ストリームとして出力する解析変換回路と、上記変換ストリームが必要な時にリクエスト信号を出力すると共に、上記解析変換回路からの上記変換ストリームを復号し、画像、音声を出力するバックエンド回路と、上記メモリからの上記ストリームの転送、および転送の停止を制御するストリーム制御信号を、上記リクエスト制御回路に出力する制御回路と、上記リクエスト信号、および上記ストリーム制御信号に基づき、上記ストリーム要求信号を出力するリクエスト制御回路と、を備えたもの、としたので、上記ストリームの流れを制御しながら、上記バックエンド回路の評価を行うことができる。
【００５７】
本発明の請求項２に係るＤＶＤバックエンド評価装置によれば、請求項１に記載のＤＶＤバックエンド評価装置において、上記ストリーム制御回路は、上記ストリーム要求信号が出力されると、上記メモリから出力するストリームの転送量を制御するストリーム出力制御信号を出力するもの、としたので、上記ストリームの転送量を確定することが可能となるため、ＤＶＤディスクを用いて、トラックバッファ機能の評価を行うことができる。
【００５８】
本発明の請求項３に係るＤＶＤバックエンド評価装置によれば、請求項１に記載のＤＶＤバックエンド評価装置において、上記ストリーム制御回路は、上記制御回路からの上記ストリーム制御信号に基づき、上記メモリからのストリームの出力開始位置、およびストリームの転送量を指定したストリーム出力制御信号を出力するもの、としたので、上記ストリームの出力開始位置を、前回のストリーム開始位置に前回の転送量を加算した値より大きな値をとるようにすることにより、上記メモリからのストリームが間欠的に出力されるため、間欠再生に関する評価を行うことができる。
【００５９】
本発明の請求項４に係るＤＶＤバックエンド評価装置によれば、請求項３に記載のＤＶＤバックエンド評価装置において、上記ストリーム制御回路は、上記制御回路からの上記ストリーム制御信号に基づき、異なるストリームを出力するように制御するもの、としたので、間欠再生に関する評価を行うことができる。
【００６０】
本発明の請求項５に係るＤＶＤバックエンド評価装置によれば、請求項１に記載のＤＶＤバックエンド評価装置において、上記解析変換回路は、上記メモリが出力するストリームから所定の量を読み飛ばすもの、としたので、間欠再生に関する評価を行うことができる。
【００６１】
本発明の請求項６に係るＤＶＤバックエンド評価装置によれば、請求項５に記載のＤＶＤバックエンド評価装置において、上記解析変換回路は、上記制御回路が出力するストリーム制御信号により、上記所定の量を変更できるもの、としたので、ランダム的に欠けているストリーム再生に関する評価を行うことができる。
【００６２】
本発明の請求項７に係るＤＶＤバックエンド評価装置によれば、請求項５に記載のＤＶＤバックエンド評価装置において、上記解析変換回路において変更できる上記所定の量は、上記メモリより出力するストリームの内容に基づいて決定されたもの、としたので、上記ストリームの内容に基づいて、上記バックエンド回路に対する出力を停止する上記変換ストリームの量を決定することができる。
【００６３】
本発明の請求項８に係るＤＶＤバックエンド評価装置によれば、請求項１に記載のＤＶＤバックエンド評価装置において、上記解析変換回路は、上記メモリよりＤＶＤ−Ｖｉｄｅｏ規格のパケットであるストリームが出力された時、該出力されたストリームの、ＤＳＩ情報内のＶＯＢＵ＿１ＳＴＲＥＦ＿ＥＡフィールド情報から、ＶＯＢＵ単位でＶＯＢＵの先頭からＭＰＥＧ−Ｖｉｄｅｏ規格のＩピクチャが含まれるパックまでのデータを取り出し、該取り出したデータを変換ストリームとして出力するもの、としたので、ＤＶＤ製品で必要とされるＩ再生に関する評価を行うことができる。
【００６４】
本発明の請求項９に係るＤＶＤバックエンド評価装置によれば、請求項８に記載のＤＶＤバックエンド評価装置において、上記制御回路は、上記解析変換回路に対し、入力されたストリームより、ＶＯＢＵの先頭からＩピクチャが含まれるパックまでのデータを取り出すこと、あるいは入力されたストリームを変換ストリームとして出力すること、を指示するもの、としたので、Ｉ再生から通常の再生、あるいは通常の再生からＩ再生の遷移に関する評価を行うことができる。
【００６５】
本発明の請求項１０に係るＤＶＤバックエンド評価装置によれば、請求項１に記載のＤＶＤバックエンド評価装置において、上記解析変換回路は、上記制御回路の指示に基づき、上記メモリからのデータ、あるいは内部に備えたメモリに格納しているデータのいずれかを、変換ストリームとして出力するもの、としたので、上記内部に備えたメモリにスクリーンセーバのデータを格納しておくことで、スクリーンセーバ機能の評価を行うことができる。
【００６６】
本発明の請求項１１に係るＤＶＤバックエンド評価装置によれば、請求項１に記載のＤＶＤバックエンド評価装置において、上記解析変換回路は、入力されるストリームを変換ストリームとして上記バックエンド回路に出力するとともに、入力されるストリームの加算量を上記制御回路に出力するもの、としたので、一定期間における上記加算量が所定の値を超えた時、上記メモリからのストリームの出力を停止することにより、上記バックエンド回路に入力されるストリームを、アンダーフローぎみに推移させる機能を評価することができる。
【００６７】
本発明の請求項１２に係るＤＶＤバックエンド評価装置によれば、請求項１１に記載のＤＶＤバックエンド評価装置において、上記制御回路は、一定期間における上記加算量が所定の値を超えた時、上記リクエスト制御回路による上記ストリーム要求信号の出力を停止するよう上記ストリーム制御信号で制御するもの、としたので、上記バックエンド回路に入力されるストリームを、アンダーフローぎみに推移させる機能を評価することができる。
【００６８】
本発明の請求項１３に係るＤＶＤバックエンド評価装置によれば、請求項１に記載のＤＶＤバックエンド評価装置において、上記解析変換回路は、ＤＶＤ−Ｖｉｄｅｏ規格のパケットであるストリームが入力されると、該入力位置に対するＤＶＤ−Ｖｉｄｅｏ規格のＶＯＢＵの先頭までの位置を、ストリーム転送量にて記憶するとともに、入力されるストリームを変換ストリームとして上記バックエンド回路に出力するもの、としたので、逆再生の機能を評価することができる。
【００６９】
本発明の請求項１４に係るＤＶＤバックエンド評価装置によれば、請求項１３に記載のＤＶＤバックエンド評価装置において、上記制御回路は、上記解析変換回路が記憶するストリームの転送量に基づき、上記メモリからのストリームの出力開始位置を指定したストリーム制御信号を出力するもの、としたので、逆再生の機能を評価することができる。
【図面の簡単な説明】
【図１】本発明の実施の形態１〜実施の形態７に係るＤＶＤバックエンド評価装置の構成を示すブロック図である。
【図２】従来の、デジタルデータの流れを評価する評価装置の構成を示すブロック図である。
【符号の説明】
１０１  メモリ
１０２  ストリーム制御回路
Ｓ１０２  ストリーム出力制御信号
１０３  解析変換回路
１０４  バックエンド回路
Ｓ１０４  リクエスト信号
１０５  リクエスト制御回路
Ｓ１０５  ストリーム要求信号
１０６  制御回路
Ｓ１０６  ストリーム制御信号
【図１】
2004334948.tif 000003
【図２】
2004334948.tif 000004